(57)【要約】【課題】  既存の壁に胴縁が固定され、該胴縁に外壁板が固定されている外壁リフォーム構造であって、外壁板の留め付け強度に優れ、リフォーム後の新規の壁が既存壁に比べて外側に張り出してしまうのを必要最小限に抑え、かつ既存壁と新規壁との間に通気層を確保することのできる外壁リフォーム構造を提供する。【解決手段】  既存壁６０に固定する胴縁として金属からなる金属胴縁１０が使用され、該金属胴縁１０は、既存壁６０に固定される基板部１１と、基板部１１と平行に延びており外壁板３０が固定される前板部１３と、基板部１１と前板部１３とを連結する連結部１２とからなっている。基板部１１の一部の領域Ｓにおいてはその表面側に前板部１３が存在しておらず、該領域Ｓに表面側から固定具９３を差し込むことにより基板部１１が既存壁６０に固定されている。【選択図】  図３
2005179987.tif 000002
【特許請求の範囲】
【請求項１】
既存の壁に胴縁が固定され、該胴縁に外壁板が固定されている外壁リフォーム構造であって、
前記胴縁は金属からなる金属胴縁であり、既存壁に固定される基板部と、該基板部と平行に延びており外壁板が固定される前板部と、前記基板部と前板部とを連結する連結部とからなっており、
前記基板部の少なくとも一部の領域においてはその表面側に前記前板部が存在しておらず、該領域に表面側から固定具を差し込むことにより前記基板部が既存壁に固定されていることを特徴とする外壁リフォーム構造。
【請求項２】
前記金属胴縁は、前記基板部の対向する側部から延びる一対の前記連結部を備えていて、各連結部の先端からそれぞれ前記前板部が延びていることを特徴とする請求項１記載の外壁リフォーム構造。
【請求項３】
前記金属胴縁の前板部には、固定具を差し込む位置を示す溝が設けられていることを特徴とする請求項１または２記載の外壁リフォーム構造。
【請求項４】
前記金属胴縁の前板部への外壁板の固定は、外壁板の端部に係止した留め付け金具を固定具で前記前板部に固定することにより行われていることを特徴とする請求項１から３のいずれか記載の外壁リフォーム構造。
【請求項５】
前記金属胴縁の前板部への外壁板の固定は、外壁板に固定具を差し込んで前記前板部に固定することにより行われていることを特徴とする請求項１から３のいずれか記載の外壁リフォーム構造。
【発明の詳細な説明】
【技術分野】
【０００１】
本発明は、既存の建物の外壁面に新たに窯業系サイディングのような長尺状の外装材を張り付けてリフォームを行う場合における、外壁リフォーム構造に関する。
【背景技術】
【０００２】
既存の建物のリフォームに際して、既存の外壁面の上から新たな外装材を張り付けることが行われている（例えば、特許文献１参照）。図８は、従来の外壁リフォーム構造の一例を示す断面図である。この例では、既存壁６０として、木造の構造躯体６１にアスファルトフェルト等の防水シート８１を介して木摺下地６２を組み、さらにラス網８２を張った上から２０〜３０ｍｍのモルタル層６３を塗布したものが示されている。そして、この既存壁６０のリフォームとして、モルタル層６３の上から木胴縁４０をビス９２で固定し、該木胴縁４０に、留め付け金具２０およびビス９１を使用して外壁板３０を留め付けている。図９に示すように、外壁板３０は端部に実部３１，３２が形成されており、留め付け金具２０はこれら実部３１，３２に係止することのできる係止部２１を備えている。このような留め付け金具２０を使用すれば、外壁板３０の表面にビス９１の頭が露出することはなく、良好な外観とすることができる。なお、下側の外壁板３０の実部３２の根元付近には漏水防止のためコーキング材８３が予め打設されている。
【０００３】
図１０は、従来の外壁リフォーム構造の他の例を示す断面図である。この例では、既存壁７０として、構造躯体７１に防水紙８１を介して木胴縁７２を固定し、この木胴縁７２に外装材７３を固定したものが示されている。そして、この既存壁７０のリフォームとして、外装材７３の上から木胴縁４０をビス９２で固定し、該木胴縁４０に、留め付け金具２０およびビス９１を使用して外壁板３０を留め付けている。
【０００４】
【特許文献１】特開２００２−１８８２７９号公報
【発明の開示】
【発明が解決しようとする課題】
【０００５】
上記図８および図１０に示したような従来の外壁リフォーム構造においては、木胴縁４０を使用することにより外壁板３０を安定した状態で固定することができ、かつ外壁板３０と既存壁６０，７０との間に通気層Ｐを確保して結露を防止することができる。しかし、木胴縁４０が十分な強度を有するためには胴縁全体が大きな厚みを有している必要がある。そのため、リフォーム後の外壁が既存壁に比べて大きく外側に張り出してしまい、建物の容積率や斜線制限等の面で不利が生じていた。
【０００６】
本発明は上記のような事情に鑑みてなされたものであり、リフォーム後の新規の壁が既存壁に比べて外側に張り出してしまうのを最小限に抑え、かつ既存壁と新規壁との間に通気層を確保することのできる外壁リフォーム構造を提供することを目的とする。
【課題を解決するための手段】
【０００７】
本発明による外壁リフォーム構造は、既存の壁に胴縁が固定され、該胴縁に外壁板が固定されている外壁リフォーム構造であって、前記胴縁は金属からなる金属胴縁であり、既存壁に固定される基板部と、該基板部と平行に延びており外壁板が固定される前板部と、前記基板部と前板部とを連結する連結部とからなっており、前記基板部の少なくとも一部の領域においてはその表面側に前記前板部が存在しておらず、該領域に表面側から固定具を差し込むことにより前記基板部が既存壁に固定されていることを特徴とする。
【０００８】
金属胴縁の材料としては、鉄、ステンレス、アルミニウム・マグネシウム合金メッキ鋼板などを用いることができ、板金加工や押出し加工により製造することが可能である。金属胴縁は、その長軸が地面に対して垂直になるように既存壁に留め付けて縦胴縁として使用してもよいし、あるいは、長軸が地面に対して水平になるようにして横胴縁として使用してもよい。また、金属胴縁に固定する外壁板や留め付け金具は、従来使用されているものと同様の任意のものを使用することができる。
【０００９】
本発明の外壁リフォーム構造では、胴縁が金属からなる金属胴縁とされているため、新規の外壁板が固定される部分である前板部が厚みを有していなくても、ビス等の固定具により外壁板を強力に固定することができる。また、金属胴縁の基板部や連結部も、厚みが無くても十分な強度を発揮することができる。そのため、金属胴縁全体として厚みの小さいものとすることができる。従って、リフォーム後の新規壁が既存壁に比べて外側に張り出す幅を最小限に抑えることができ、リフォーム後の建物の容積率が増加するのを極力抑えることができる。また、金属胴縁全体が基板部や前板部等の板状部分から構成されているため、胴縁内部にも通気層を確保することができる。また、金属胴縁は木胴縁に比べて品質にムラがなく、気候等の影響も受けにくいため、常に一定の規格寸法のものを施工現場に調達することができる。
【００１０】
さらに、金属胴縁の基板部は、その一部の領域においては表面側に前板部が存在せず、この領域に表面側から固定具を差し込むことにより基板部を既存壁に固定することができるようになっているため、施工が容易である。また、このように、既存壁への金属胴縁の固定は、金属胴縁の表面側に位置する前板部を介さずに、基板部に直接固定具を差し込むことにより行われるため、固定具の頭部が前板部の表面に表れることはない。従って、前板部に外壁板を固定する際に、既存壁への金属胴縁の固定に用いた固定具の頭部が邪魔になることはない。
【００１１】
好ましくは、前記金属胴縁は、前記基板部の対向する側部から延びる一対の前記連結部を備えていて、各連結部の先端からそれぞれ前記前板部が延びている。この態様では、外壁板または留め付け金具を固定したい位置に応じて、２つの前板部のうちいずれかを選択して固定することができ、施工の自由度が大きい。
【００１２】
好ましくは、前記金属胴縁の前板部には、固定具を差し込む位置を示す溝が設けられている。特に前板部の幅が狭い場合においては、ビス等の固定具を正確に前板部の幅方向の中央付近に差し込む必要があるが、この態様では、固定具を差し込む位置が前板部上に示されているため、固定具を容易に適切な位置に差し込むことができる。
【００１３】
好ましい態様において、前記金属胴縁の前板部への外壁板の固定は、外壁板の端部に係止した留め付け金具を固定具で前記前板部に固定することにより行われる。この態様では、外壁板表面にビス等の固定具が露出しないため、美観に優れる。また、本発明のように金属からなる胴縁を使用していれば、留め付け金具の中央から横方向にずれた位置でビス留めした場合であっても、十分な固定状態を保つことができ、留め付け金具の固定位置の選択の幅が広い。そのため、外壁板の固定位置に応じて最適な位置に留め付け金具を固定することが可能である。
【００１４】
他の好ましい態様において、前記金属胴縁の前板部への外壁板の固定は、外壁板に固定具を差し込んで前記前板部に固定することにより行われる。この態様では、外壁板と金属胴縁との間に金具等が介在せず、外壁板の裏面が直接金属胴縁に接する状態で固定されるため、リフォーム後の新規の壁が既存壁に比べて外側に張り出す幅をさらに小さくすることができる。
【発明の効果】
【００１５】
上記のように本発明による外壁リフォーム構造は、外壁板の留め付け強度に優れると共に、リフォーム後の新規の壁が既存壁に比べて外側に張り出してしまうのを最小限に抑えることができ、かつ、既存壁と新規壁との間に通気層を確保し、結露などの不都合が生じるのを回避することができる。
【発明を実施するための最良の形態】
【００１６】
以下、図面を参照しながら、本発明による外壁リフォーム構造の実施態様について説明する。図１は本発明による外壁リフォーム構造に使用される金属胴縁の一実施の形態を示す斜視図である。
【００１７】
図１に示される金属胴縁１０は、厚さ１．２ｍｍの合金メッキ鋼板の折り曲げ加工によって形成されている。金属胴縁１０は全体として長尺状であり、既存壁への固定面となる基板部１１と、基板部１１の左右の側部から表面側に延びる一対の連結部１２，１２と、各連結部１２，１２の先端からそれぞれ基板部１１と平行に延びる一対の前板部１３，１３とからなる。金属胴縁１０の厚さ、すなわち連結部１２の幅は１２ｍｍであり、従来の木胴縁のように厚さが２０〜３０ｍｍのものに比べて厚みは半分程度になっている。
【００１８】
前板部１３，１３は各連結部１２，１２の先端から互いに近づく方向に延びているが、これら前板部１３，１３の間には隙間があるので、基板部１１の左右の側部近傍を除く領域Ｓにおいては、基板部１１の表面側に前板部１３が存在しない。この領域Ｓにビス等の固定具用の複数の孔１４が設けられており、表面側から孔１４にビスをねじ込んで基板部を既存壁に固定できるようになっている。また、前板部１３には、留め付け金具を前板部１３に固定する際にビス等の固定具を差し込む位置を示す溝１５が、前板部１３の長手方向の全長に渡って形成されている。
【００１９】
図２は、前板部１３の溝１５の位置にビス９１を用いて留め付け金具２０Ａ，２０Ｂを固定した状態を示している。本実施形態の金属胴縁１０は２つの前板部１３，１３を有しているので、留め付け金具２０Ａ，２０Ｂを固定する際には、留め付け金具２０Ａ，２０Ｂを固定したい位置に応じて、いずれか一方の前板部１３を選択して固定を行う。本発明のように金属からなる胴縁を使用していれば、留め付け金具２０の一箇所を前板部１３にビス留めするだけで十分に固定することができ、しかも、図２の下側の留め付け金具２０Ｂのように、留め付け金具の中央から横方向にずれた位置でビス留めした場合であっても、十分な固定状態を保つことができる。そのため、留め付け金具の固定位置の選択の幅が広く、外壁板の固定位置に応じて最適な位置に留め付け金具を固定することができる。
【００２０】
次に、本発明による外壁リフォーム構造の実施例について説明する。図３は、上記金属胴縁１０を用いた外壁リフォーム構造の一実施例を示す断面図である。ここでは既存壁として、図８に示した既存壁６０と同じもの、すなわち、木造の構造躯体６１およびモルタル層６３を有するものが示されている。本実施例では、この既存壁６０のリフォームとして、モルタル層６３の上から木ビス９３を使用して金属胴縁１０が固定されており、この金属胴縁１０に、留め付け金具２０を利用して外壁板３０が固定されている。木ビス９３は構造躯体６１にまで達する長さを有している。このような外壁リフォーム構造においては、厚みの小さい金属胴縁１０を使用しているので、新規壁が既存壁６０に比べて外側に張り出す幅は最小限に抑えられ、また、既存壁６０と外壁板３０との間に通気層Ｐを確保することができる。なお、図示の外壁板３０や留め付け金具２０は例示にすぎず、この他にも任意の形状のものを使用することが可能である。
【００２１】
図４は、金属胴縁１０を用いた外壁リフォーム構造の他の実施例を示す断面図である。ここでは、図３に示した上記実施例のように留め付け金具２０を使用して外壁板３０を留め付けるのではなく、金属胴縁１０に直接ビス９１で外壁板３０を留め付けている。このように金属胴縁１０に直接外壁板３０を留め付けても、外壁板３０と既存壁６０との間には、金属胴縁１０の厚み分の通気層Ｐを確保することができる。
【００２２】
図５および図６は、図３に示した外壁リフォーム構造と同様のリフォーム構造を、異なる既存壁に対して適用した例を示す断面図である。
【００２３】
まず、図５における既存壁５０は、鉄骨の構造躯体５１に、防水シート８１を介してラス網８２が張られ、その上にモルタル層５２が塗布されたものである。図５の実施例では、この既存壁５０のリフォームとして、モルタル層５２の上からテクスビス９４を使用して金属胴縁１０が固定されており、この金属胴縁１０に、留め付け金具２０を利用して外壁板３０が固定されている。テクスビス９４は構造躯体５１にまで達する長さを有している。
【００２４】
次に、図６における既存壁７０は、図１０に示した既存壁７０と同じもの、すなわち、外装材７３により壁面を形成したものである。図６の実施例では、この既存壁７０のリフォームとして、外装材７３の上からビス９５を使用して金属胴縁１０が固定されており、この金属胴縁１０に、留め付け金具２０を利用して外壁板３０が固定されている。ビス９５は構造躯体７１にまで達する長さを有している。使用するビス９５の種類は、構造躯体７１が木造の場合や鉄骨の場合に応じて、木ビスやテクスビス等の中から適当なものが選択される。なお、リフォームの対象となる既存壁はこれら実施例のものに限られるものではなく、様々な構造の既存壁（例えばＡＬＣ壁やＲＣ壁など）に対して本発明の外壁リフォーム構造を適用することが可能である。
【００２５】
以上の実施例では金属胴縁としていずれも図１に示した金属胴縁１０を使用しているが、本発明による外壁リフォーム構造には、この他にも様々な形状の金属胴縁を使用することができる。図７は、本発明による外壁リフォーム構造に使用される金属胴縁の様々な実施例を示したものである。
【００２６】
まず、図７（ａ）に示す金属胴縁１０Ａでは、基板部１１Ａの左側の側部のみから連結部１２Ａが延びており、連結部１２Ａの先端から前板部１３Ａが右方向に延びている。基板部１１Ａの右側の側部は前板部１３Ａの右側の側部よりも右方に延びているため、基板部１１Ａの右側の領域Ｓａにおいてはその表面側に前板部１３Ａが存在しない。この領域Ｓａ内に複数のビス用孔１４が設けられており、金属胴縁１０Ａの表面側から孔１４にビスを差し込んで基板部１１Ａを既存壁に固定できるようになっている。本実施例による金属胴縁１０Ａは形状が単純であり製造が容易である。
【００２７】
次に、図７（ｂ）に示す金属胴縁１０Ｂでは、図１に示した金属胴縁１０と同じく基板部１１Ｂの両側の側部に連結部１２Ｂを備えているが、前板部１３Ｂについては、各連結部１２Ｂの先端から互いに遠ざかる方向に延びている。この実施例においては、基板部１１Ｂの全領域Ｓｂにおいて、その表面側に前板部１３Ｂが存在しておらず、基板部１１Ｂには複数のビス用孔１４が設けられている。この金属胴縁１０Ｂにおいても、図１に示した金属胴縁１０と同様に、２箇所の前板部１３Ｂ，１３Ｂのいずれかを選択して留め付け金具を固定することができ、施工の自由度は大きい。
【００２８】
最後に、図７（ｃ）に示す金属胴縁１０Ｃでは、基板部１１Ｃの中央部に連結部１２Ｃを１つだけ備えており、この連結部１２Ｃの先端から前板部１３Ｃが左右両側に延びている。基板部１１Ｃの左右両側の側部は、前板部１３Ｃの左右両側の側部よりも外側に延びているため、基板部１１Ｃの左右両側の側部近傍の領域Ｓｃ，Ｓｃにおいては、その表面側に前板部１３Ｃが存在しない。これらの領域Ｓｃ，Ｓｃにそれぞれ複数のビス用孔１４が設けられており、金属胴縁１０Ｃの表面側から孔１４にビスを差し込んで基板部１１Ｃを既存壁に固定できるようになっている。この金属胴縁１０Ｃは基板部１１Ｃの左右幅が大きくとられており、基板部１１Ｃの左右の端部をそれぞれビス留めすることができるため、既存壁表面に凹凸が多い場合であっても金属胴縁１０Ｃを安定した状態で固定することができる。
【００２９】
以上説明したものの他にも、本発明の外壁リフォーム構造に使用される金属胴縁は様々な形状とすることが可能である。
【図面の簡単な説明】
【００３０】
【図１】本発明による外壁リフォーム構造に使用される金属胴縁の一実施の形態を示す斜視図。
【図２】図１に示す金属胴縁に留め付け金具を固定した状態を示す斜視図。
【図３】図１に示す金属胴縁を用いた外壁リフォーム構造の一例を示す断面図。
【図４】図１に示す金属胴縁を用いた外壁リフォーム構造の他の例を示す断面図。
【図５】図１に示す金属胴縁を用いた外壁リフォーム構造のさらに他の例を示す断面図。
【図６】図１に示す金属胴縁を用いた外壁リフォーム構造のさらに他の例を示す断面図。
【図７】本発明による外壁リフォーム構造に使用される金属胴縁の他の実施例を示す斜視図。
【図８】従来の外壁リフォーム構造の一例を示す断面図。
【図９】外壁板および留め付け金具の一例を示す斜視図。
【図１０】従来の外壁リフォーム構造の他の例を示す断面図。
【符号の説明】
【００３１】
１０…金属胴縁、１１…基板部、１２…連結部、１３…前板部、２０…留め付け金具、３０…外壁板、６０…既存壁
【図１】
2005179987.tif 000003
【図２】
2005179987.tif 000004
【図３】
2005179987.tif 000005
【図４】
2005179987.tif 000006
【図５】
2005179987.tif 000007
【図６】
2005179987.tif 000008
【図７】
2005179987.tif 000009
【図８】
2005179987.tif 000010
【図９】
2005179987.tif 000011
【図１０】
2005179987.tif 000012